【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
コンピューター実行可能命令が具体化されている１つまたは複数のコンピューター記憶媒体デバイスであって、前記命令を実行すると、複数の画像結果を編集画像に編集する方法を実行し、前記方法が、
検索エンジンにおいて、画像に対する検索要求を受けるステップと、
それぞれが前記画像に対する前記検索要求を満たす複数の個別画像検索結果を判定するステップであって、それぞれの個別画像検索結果は当該結果のＵＲＬに関連付けられている、ステップと、
前記複数の個別画像検索結果のうちの対応する個別画像検索結果にそれぞれ関連付けられている少なくとも２つのＵＲＬを繋合して、第１の検索結果編集画像に対応する第１の繋合ＵＲＬを作成するステップであって、前記少なくとも２つのＵＲＬに関連付けられている前記個別画像検索結果をダウンロードするために必要なＨＴＴＰ要求の量が、前記第１の検索結果編集画像をダウンロードするために必要なＨＴＴＰ要求の量よりも多い、ステップと、
検索エンジン結果ページ（ＳＥＲＰ）と関連付けた表示のために前記第１の検索結果編集画像を供給するステップと、
を備えている、コンピューター記憶媒体デバイス。
【請求項２】
請求項１記載のコンピューター記憶媒体デバイスにおいて、前記第１の検索結果編集画像が、１回のＨＴＴＰ要求によってダウンロード可能である、コンピューター記憶媒体デバイス。
【請求項３】
請求項１記載のコンピューター記憶媒体デバイスにおいて、前記方法が、更に、前記第１の検索結果編集画像を含むそれぞれの個別画像検索結果を、１つの画像検索結果として、前記検索エンジン結果ページ（ＳＥＲＰ）と関連付けて表示するステップを備えている、コンピューター記憶媒体デバイス。
【請求項４】
請求項３記載のコンピューター記憶媒体デバイスにおいて、それぞれの個別画像検索結果を１つの画像検索結果として前記検索エンジン結果ページ（ＳＥＲＰ）と関連付けて表示する前記ステップが、前記第１の検索結果編集画像の内それぞれの画像検索結果に対応する部分のみがユーザーに見えるように、前記第１の検索結果編集画像にマスキング・ウィンドウを被せるステップを含む、コンピューター記憶媒体デバイス。
【請求項５】
請求項１記載のコンピューター記憶媒体デバイスにおいて、前記複数の個別画像検索結果のうちの対応する個別画像検索結果にそれぞれ関連付けられている前記少なくとも２つのＵＲＬを繋合して、前記第１の検索結果編集画像に対応する前記第１の繋合ＵＲＬを作成する前記ステップが、更に、前記第１の検索結果編集画像を作成するために用いられた個別画像検索結果以外の、前記複数の個別画像検索結果のうちの対応する個別画像検索結果にそれぞれ関連付けられている少なくとも２つの別のＵＲＬを繋合して、第２の検索結果編集画像に対応する第２の繋合ＵＲＬを作成し、それにより、それぞれが各検索結果編集画像に対応する複数の繋合ＵＲＬを作成するステップを含む、コンピューター記憶媒体デバイス。
【請求項６】
請求項５記載のコンピューター記憶媒体デバイスにおいて、前記第１および第２の編集画像を作成するために用いられたＵＲＬに関連付けられている全ての個別画像検索結果をダウンロードするために必要なＨＴＴＰ要求の量が、前記第１の検索結果編集画像および前記第２の検索結果編集画像をダウンロードするために必要なＨＴＴＰ要求の量よりも多い、コンピューター記憶媒体デバイス。
【請求項７】
請求項１記載のコンピューター記憶媒体デバイスにおいて、前記第１の検索結果編集画像の作成前に、前記第１の検索結果編集画像に含まれている前記個別画像検索結果の内少なくとも１つのサイズを変更する、コンピューター記憶媒体デバイス。
【請求項８】
請求項１記載のコンピューター記憶媒体デバイスにおいて、前記画像検索要求を受ける前に、個別画像検索結果のサイズ変更についての好みをユーザーによって設定する、コンピューター記憶媒体デバイス。
【請求項９】
コンピューター実行可能命令が具体化されている１つまたは複数のコンピューター記憶媒体デバイスであって、前記命令を実行すると、複数の画像検索結果を検索結果編集画像に編集する方法を実行し、前記方法が、
ユーザーから１つまたは複数の繋合命令を受けるステップであって、前記１つまたは複数の繋合命令が、個別画像検索結果のサイズ変更についての好みを含む、ステップと、
画像検索要求を前記ユーザーから受けるステップと、
それぞれが前記画像検索要求を満たす複数の画像検索結果を判定するステップであって、前記複数の画像検索結果のうちのそれぞれの個別画像検索結果は当該結果のＵＲＬに関連付けられている、ステップと、
前記１つまたは複数の繋合命令を、前記複数の個別画像検索結果のうちの対応する個別画像検索結果にそれぞれ関連付けられている少なくとも２つのＵＲＬに適用して、それぞれが各検索結果編集画像に対応する１つまたは複数の繋合ＵＲＬを作成するステップと、
前記各繋合ＵＲＬを用いて、検索エンジン結果ページ（ＳＥＲＰ）と関連付けた表示のために前記１つまたは複数の検索結果編集画像を供給するステップと、
を備えている、コンピューター記憶媒体デバイス。
【請求項１０】
請求項９記載のコンピューター記憶媒体デバイスにおいて、前記検索エンジン結果ページ（ＳＥＲＰ）と関連付けた表示のために前記１つまたは複数の検索結果編集画像を供給する前記ステップが、更に、前記検索エンジン結果ページ（ＳＥＲＰ）上における前記１つまたは複数の検索結果編集画像のレイアウトを記述し、前記１つまたは複数の検索結果編集画像に関連付けられているそれぞれの個別画像検索結果に対する参照を含む記述ファイルを供給するステップを含む、コンピューター記憶媒体デバイス。
【請求項１１】
請求項９記載のコンピューター記憶媒体デバイスにおいて、前記１つまたは複数の検索結果編集画像のそれぞれが、対応する１回のＨＴＴＰ要求によってダウンロードすることができる、コンピューター記憶媒体デバイス。
【請求項１２】
請求項９記載のコンピューター記憶媒体デバイスにおいて、前記方法が、更に、前記１つまたは複数の検索結果編集画像に関連付けられているそれぞれの個別画像検索結果を、１つの画像検索結果として、前記検索エンジン結果ページ（ＳＥＲＰ）と関連付けて表示するステップを備えている、コンピューター記憶媒体デバイス。
【請求項１３】
請求項１２記載のコンピューター記憶媒体デバイスにおいて、前記１つまたは複数の検索結果編集画像に関連付けられているそれぞれの個別画像検索結果を、１つの画像検索結果として、前記検索エンジン結果ページ（ＳＥＲＰ）と関連付けて表示する前記ステップが、前記１つまたは複数の検索結果編集画像の内それぞれの画像検索結果に対応する部分のみがユーザーに見えるように、前記１つまたは複数の検索結果編集画像にマスキング・ウィンドウを被せるステップを含む、コンピューター記憶媒体デバイス。
【請求項１４】
請求項９記載のコンピューター記憶媒体デバイスにおいて、前記複数の個別画像検索結果のうちの対応する個別画像検索結果にそれぞれ関連付けられている少なくとも２つのＵＲＬを繋合して、それぞれが各検索結果編集画像に対応する前記１つまたは複数の繋合ＵＲＬを作成するステップが、対応する一意の検索結果編集画像にそれぞれ関連付けられている少なくとも２つの一意のＵＲＬを繋合するステップを含む、コンピューター記憶媒体デバイス。
【請求項１５】
画像検索結果編集システムであって、
１つまたは複数のプロセッサおよび１つまたは複数のコンピューター記憶媒体が付随する計算機と、
前記計算機と結合されているデーター・ストアと、
検索エンジンにおいて画像に対する検索要求を受け、それぞれが前記画像検索要求を満たす複数の個別画像検索結果を判定する画像検索結果編集エンジンと、
前記複数の個別画像検索結果のそれぞれに関連付けられているＵＲＬを繋合して、繋合ＵＲＬを形成するように構成されたＵＲＬ繋合コンポーネントと、
前記繋合ＵＲＬをサムネール・サーバーへ送信するように構成された出力コンポーネントであって、前記サムネール・サーバーは、前記複数の個別画像検索結果の少なくとも２つの個別検索結果画像を繋合して検索結果編集画像を作成し、検索エンジン結果ページ（ＳＥＲＰ）と関連付けた表示のために前記検索結果編集画像を供給し、前記複数の個別画像検索結果におけるそれぞれの個別画像検索結果の供給は、前記検索結果編集画像を供給するために必要なＨＴＴＰ要求の量よりも多いＨＴＴＰ要求の量を必要とする、出力コンポーネントと、
を備えている、画像検索結果編集システム。